(57)【要約】【課題】モビリティ及びスループットの両面から、最適なＣＡを実現する。【解決手段】本発明に係る移動通信システムは、ＣＣ＃１/ＣＣ＃２が用いられるセル＃１/＃２及びＣＣ＃１１が用いられるセル＃１１が設けられており、セル＃１/＃２のカバレッジエリアとセル＃１１のカバレッジエリアとが地理的に重畳するように構成されており、セル＃１/＃２のカバレッジエリアは、セル＃１１のカバレッジエリアよりも広くなるように構成されており、セル＃１/＃２は、セル＃１１と比べた特徴として、使用する周波数帯域が高いという特徴、送信アンテナ高が高いという特徴、送受信アンテナの利得が高いという特徴、送受信アンテナの指向性が異なるという特徴、送信電力が大きいという特徴、受信感度が高いという特徴の少なくとも１つを有する。【選択図】図１
2013183270.tif 000002
【特許請求の範囲】
【請求項１】
移動局が、第１周波数帯域の第１キャリア及び第２周波数帯域の第２キャリアを同時に用いて、ＣＡ（Ｃａｒｒｉｅｒ  Ａｇｇｒｅｇａｔｉｏｎ）を行うことができるように構成されている移動通信システムであって、
前記第１キャリアが用いられる第１セル及び前記第２キャリアが用いられる第２セルが設けられており、
前記第１セルのカバレッジエリアと前記第２セルのカバレッジエリアとが地理的に重畳するように構成されており、
前記第１セルのカバレッジエリアは、前記第２セルのカバレッジエリアよりも広くなるように構成されており、
前記第１セルは、前記第２セルと比べた特徴として、使用する周波数帯域が高いという特徴、送信アンテナ高が高いという特徴、送受信アンテナの利得が高いという特徴、送受信アンテナの指向性が異なるという特徴、送信電力が大きいという特徴、受信感度が高いという特徴の少なくとも１つを有することを特徴とする移動通信システム。
【請求項２】
同一の無線基地局によって管理されている前記第１セルのカバレッジエリア同士の境界に、前記第２セルが設けられていることを特徴とする請求項１に記載の移動通信システム。
【請求項３】
前記無線基地局は、前記第２セルのカバレッジエリア内の前記移動局に対して、該第２セルをＳｃｅｌｌに設定するように構成されていることを特徴とする請求項２に記載の移動通信システム。
【請求項４】
第１無線基地局によって管理されている前記第１セルのカバレッジエリアと第２無線基地局によって管理されている前記第１セルのカバレッジエリアとの間の境界に、前記第２セルが設けられていることを特徴とする請求項１に記載の移動通信システム。
【請求項５】
前記移動局が、前記第１無線基地局によって管理されている前記第１セルのカバレッジエリアから前記第２セルのカバレッジエリアに進入した場合に、該第１無線基地局は、該移動局のＳｃｅｌｌとして、該第２セルを設定するように構成されており、
前記移動局が、前記第２セルのカバレッジエリアから前記第２無線基地局によって管理されている前記第１セルのカバレッジエリアに出て行った場合、設定されていた前記Ｓｃｅｌｌは、削除されるように構成されていることを特徴とする請求項４に記載の移動通信システム。
【発明の詳細な説明】
【技術分野】
【０００１】
本発明は、移動通信システムに関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、「ＣＡ（Ｃａｒｒｉｅｒ  Ａｇｇｒｅｇａｔｉｏｎ）」を行うことが検討されている。
【０００３】
ＬＴＥ-Ａｄｖａｎｃｅｄ方式の移動通信システムでは、移動局ＵＥは、１つの無線基地局ｅＮＢとの間で、異なる周波数帯域の複数の「Ｃｏｍｐｏｎｅｎｔ  Ｃａｒｒｉｅｒ（ＣＣ）」を同時に用いて、ＣＡを行うことができるように構成されている。
【０００４】
また、ＣＡが行われる場合、移動局ＵＥは、無線基地局からの指示に応じて、複数のＣＣの中から、１つをＰＣＣ（Ｐｒｉｍａｒｙ  Ｃｏｍｐｏｎｅｎｔ  Ｃａｒｒｅｒ）として設定し、その他をＳＣＣ（Ｓｅｃｏｎｄａｒｙ  Ｃｏｍｐｏｎｅｎｔ  Ｃａｒｒｅｒ）として設定するように構成されている。
【０００５】
また、ＬＴＥ-Ａｄｖａｎｃｅｄ方式の移動通信システムでは、マクロセルのカバレッジエリア内における高トラフィックエリアに、１つ又は複数のピコセルを配置することが検討されている。
【先行技術文献】
【特許文献】
【０００６】
【特許文献１】特願２０１０-００３４２３号
【非特許文献】
【０００７】
【非特許文献１】３ＧＰＰ  ＴＳ３６.８１４
【非特許文献２】３ＧＰＰ  ＴＳ３６.９１２
【発明の概要】
【発明が解決しようとする課題】
【０００８】
しかしながら、現在のＬＴＥ-Ａｄｖａｎｃｅｄ方式では、モビリティ及びスループットの両面から、最適なＣＡを実現するために、どのようにマクロセル及びピコセルを設定すべきかについて規定されていない。
【０００９】
そこで、本発明は、上述の課題に鑑みてなされたものであり、モビリティ及びスループットの両面から、最適なＣＡを実現することができる移動通信システムを提供することを目的とする。
【課題を解決するための手段】
【００１０】
本発明の第１の特徴は、移動局が、第１周波数帯域の第１キャリア及び第２周波数帯域の第２キャリアを同時に用いて、ＣＡを行うことができるように構成されている移動通信システムであって、前記第１キャリアが用いられる第１セル及び前記第２キャリアが用いられる第２セルが設けられており、前記第１セルのカバレッジエリアと前記第２セルのカバレッジエリアとが地理的に重畳するように構成されており、前記第１セルのカバレッジエリアは、前記第２セルのカバレッジエリアよりも広くなるように構成されており、前記第１セルは、前記第２セルと比べた特徴として、使用する周波数帯域が高いという特徴、送信アンテナ高が高いという特徴、送受信アンテナの利得が高いという特徴、送受信アンテナの指向性が異なるという特徴、送信電力が大きいという特徴、受信感度が高いという特徴の少なくとも１つを有することを要旨とする。
【発明の効果】
【００１１】
以上説明したように、本発明によれば、モビリティ及びスループットの両面から、最適なＣＡを実現することができる移動通信システムを提供することができる。
【図面の簡単な説明】
【００１２】
【図１】本発明の第１の実施形態に係る移動通信システムの全体構成図である。
【図２】本発明の第２の実施形態に係る移動通信システムの全体構成図である。
【図３】本発明の第３の実施形態に係る移動通信システムの全体構成図である。
【発明を実施するための形態】
【００１３】
（本発明の第１の実施形態に係る移動通信システム）
図１を参照して、本発明の第１の実施形態に係る移動通信システムについて説明する。本実施形態に係る移動通信システムは、ＬＴＥ-Ａｄｖａｎｃｅｄ方式の移動通信システムである。
【００１４】
なお、本実施形態に係る移動通信システムにおいて、移動局ＵＥは、無線基地局ｅＮＢ＃１との間で、周波数帯域Ｆ１のＣＣ及び周波数帯域Ｆ２のＣＣを同時に用いて、信号の送受信を行うことができるように構成されている、すなわち、ＣＡを行うことができるように構成されている。
【００１５】
図１に示すように、本実施形態に係る移動通信システムでは、無線基地局ｅＮＢ＃１配下に、マクロセルとして、セル＃１等が設けられており、ピコセルとして、セル＃１１等が設けられている。
【００１６】
ここで、セル＃１等のマクロセルでは、周波数帯域Ｆ１のＣＣが用いられており、セル＃１１等のピコセルでは、周波数帯域Ｆ２のＣＣが用いられている。
【００１７】
ＬＴＥ-Ａｄｖａｎｃｅｄ方式の移動通信システムでは、例えば、周波数帯域Ｆ１及びＦ２として、８００ＭＨｚ帯や１.５ＧＨｚ帯や１.７ＧＨｚ帯や２ＧＨｚ帯や３.４-３.６ＧＨｚ帯や４.４-４.９ＧＨｚ帯等が用いられることが想定されている。
【００１８】
また、例えば、各ＣＣの帯域幅は、６ＲＢ（Ｒｅｓｏｕｒｃｅ  Ｂｌｏｃｋ）、１５ＲＢ、２５ＲＢ、５０ＲＢ、７５ＲＢ又は１００ＲＢのいずれかであってもよい。なお、１ＲＢは、１８０ｋＨｚである。
【００１９】
また、本実施形態に係る移動通信システムでは、セル＃１のカバレッジエリアとセル＃１１のカバレッジエリアとが地理的に重畳するように構成されている。
【００２０】
なお、本実施形態に係る移動通信システムでは、セル＃１のカバレッジエリアは、セル＃１１のカバレッジエリアよりも広くなるように構成されている。
【００２１】
また、本実施形態に係る移動通信システムにおいて、カバレッジエリアが重畳しているセル＃１及びセル＃１１において、同一のＰＣＩ（Ｐｈｙｉｓｃａｌ  Ｃｅｌｌ  Ｉｄｅｎｔｉｔｙ）が用いられるように構成されていてもよい。
【００２２】
或いは、本実施形態に係る移動通信システムにおいて、カバレッジエリアが重畳しているセル＃１及びセル＃１１において、異なるＰＣＩが用いられるように構成されていてもよい。
【００２３】
本実施形態に係る移動通信システムにおいて、移動局ＵＥは、セル＃１のカバレッジエリアとセル＃１１のカバレッジエリアとが重畳するエリアでのみ、ＣＡを行うことができる。
【００２４】
一方、本実施形態に係る移動通信システムにおいて、移動局ＵＥは、セル＃１のカバレッジエリア内のセル＃１１のカバレッジエリアが重畳されていないエリアでは、周波数帯域Ｆ１のＣＣのみを用いた通信を行うように構成されている、すなわち、ＣＡを行うことができない。
【００２５】
セル＃１は、セル＃１１と比べた特徴として、使用する周波数帯域が高いという特徴を有していてもよい。すなわち、セル＃１で使用されている周波数帯域Ｆ１は、セル＃１１で使用されている周波数帯域Ｆ２よりも高い周波数帯域であってもよい。
【００２６】
また、セル＃１は、セル＃１１と比べた特徴として、送信アンテナ高が高いという特徴を有していてもよい。すなわち、セル＃１で用いられる送受信アンテナの利得は、セル＃１１で用いられる送受信アンテナの利得よりも高くてもよい。
【００２７】
また、セル＃１は、セル＃１１と比べた特徴として、送受信アンテナの指向性が異なるという特徴を有していてもよい。すなわち、セル＃１で用いられる送受信アンテナの指向性は、セル＃１１で用いられる送受信アンテナの指向性と異なってもよい。
【００２８】
また、セル＃１は、セル＃１１と比べた特徴として、送信電力が大きいという特徴を有していてもよい。すなわち、セル＃１における送信電力は、セル＃１１における送信電力よりも大きくてもよい。
【００２９】
また、セル＃１は、セル＃１１と比べた特徴として、受信感度が高いという特徴を有していてもよい。すなわち、セル＃１における受信感度は、セル＃１１における受信感度よりも高くてもよい。
【００３０】
なお、セル＃１は、セル＃１１と比べた特徴として、上述の特徴の少なくとも１つを有していてもよい。
【００３１】
本発明の第１の実施形態に係る移動通信システムによれば、各周波数帯域のＣＣの伝搬特性を考慮しつつ、セル＃１のカバレッジエリアとセル＃１１のカバレッジエリアとが重畳するエリアでは、ＣＡによって高いスループットを実現することができると共に、周波数帯域Ｆ１のＣＣが用いられるセル＃１によって広いカバレッジエリアを実現することができる。
【００３２】
（本発明の第２の実施形態に係る移動通信システム）
図２を参照して、本発明の第２の実施形態に係る移動通信システムについて説明する。以下、本実施形態に係る移動通信システムについて、本発明の第１の実施形態に係る移動通信システムとの相違点に着目して説明する。
【００３３】
図２に示すように、本実施形態に係る移動通信システムでは、本発明の第１の実施形態に係る移動通信システムと同様に、無線基地局ｅＮＢ＃１配下に、マクロセルとして、セル＃１やセル＃２等が設けられており、ピコセルとして、セル＃１１等が設けられている。
【００３４】
また、本実施形態に係る移動通信システムでは、同一の無線基地局ｅＮＢ＃１によって管理されているセル＃１/＃２のカバレッジエリア同士の境界に、セル＃１１が設けられていてもよい。
【００３５】
ここで、無線基地局ｅＮＢ＃１は、セル＃１１のカバレッジエリア内の移動局ＵＥに対して、セル＃１１をＳｃｅｌｌに設定するように構成されていてもよい。
【００３６】
その結果、Ｕ-ＰｌａｎｅデータをＳｃｅｌｌで伝送することによって、セル＃１/＃２のカバレッジエリア同士の境界におけるスループットを改善することができる。
【００３７】
セル＃１/＃２で使用されている周波数帯域Ｆ１は、セル＃１１で使用されている周波数帯域Ｆ２よりも低い周波数帯域であってもよいし、セル＃１/＃２で使用されている周波数帯域Ｆ１は、セル＃１１で使用されている周波数帯域Ｆ２よりも高い周波数帯域であってもよい。
【００３８】
（本発明の第３の実施形態に係る移動通信システム）
図３を参照して、本発明の第３の実施形態に係る移動通信システムについて説明する。以下、本実施形態に係る移動通信システムについて、本発明の第１の実施形態に係る移動通信システムとの相違点に着目して説明する。
【００３９】
図３に示すように、本実施形態に係る移動通信システムでは、無線基地局ｅＮＢ＃１配下に、マクロセルとして、セル＃１等が設けられており、ピコセルとして、セル＃１１等が設けられている。
【００４０】
一方、本実施形態に係る移動通信システムでは、無線基地局ｅＮＢ＃２配下に、マクロセルとして、セル＃２等が設けられている。
【００４１】
図３の例では、ピコセルであるセル＃１１は、無線基地局ｅＮＢ＃１によって管理されているが、無線基地局ｅＮＢ＃２によって管理されていてもよい。本実施形態では、ピコセルであるセル＃１１は、無線基地局ｅＮＢ＃１によって管理されているものとして説明する。
【００４２】
また、本実施形態に係る移動通信システムでは、無線基地局ｅＮＢ＃１によって管理されているセル＃１のカバレッジエリアと無線基地局ｅＮＢ＃２によって管理されているセル＃２のカバレッジエリアとの間の境界に、セル＃１１が設けられていてもよい。
【００４３】
ここで、移動局ＵＥが、セル＃１のカバレッジエリアからセル＃１１のカバレッジエリアに進入した場合に、無線基地局ｅＮＢ＃１は、移動局ＵＥのＳｃｅｌｌとして、セル＃１１を設定するように構成されていてもよい。
【００４４】
すなわち、移動局ＵＥが、同一の無線基地局ｅＮＢ＃１配下のマクロセル（セル＃１）のカバレッジエリア及びピコセル（セル＃１１）のカバレッジエリアが重畳するエリアにいる場合には、無線基地局ｅＮＢ＃１は、移動局ＵＥのＳｃｅｌｌとして、ピコセル（セル＃１１）を設定するように構成されていてもよい。
【００４５】
また、移動局ＵＥが、セル＃１１のカバレッジエリアからセル＃２のカバレッジエリアに出て行った場合、設定されていたＳｃｅｌｌは、削除されるように構成されていてもよい。
【００４６】
セル＃１/＃２で使用されている周波数帯域Ｆ１は、セル＃１１で使用されている周波数帯域Ｆ２よりも低い周波数帯域であってもよいし、セル＃１/＃２で使用されている周波数帯域Ｆ１は、セル＃１１で使用されている周波数帯域Ｆ２よりも高い周波数帯域であってもよい。
【００４７】
本発明の第３の実施形態に係る移動通信システムによれば、Ｕ-ＰｌａｎｅデータをＳｃｅｌｌで伝送することによって、セル＃１/＃２のカバレッジエリア同士の境界におけるスループットを改善することができる。
【００４８】
以上に述べた本実施形態の特徴は、以下のように表現されていてもよい。
【００４９】
本実施形態の第１の特徴は、移動局ＵＥが、周波数帯域Ｆ１（第１周波数帯域）のＣＣ（第１キャリア）及び周波数帯域Ｆ２（第２周波数帯域）のＣＣ（第２キャリア）を同時に用いて、ＣＡを行うことができるように構成されている移動通信システムであって、周波数帯域Ｆ１のＣＣが用いられるセル＃１/＃２（第１セル）及び周波数帯域Ｆ２のＣＣが用いられるセル＃１１（第２セル）が設けられており、セル＃１/＃２のカバレッジエリアとセル＃１１のカバレッジエリアとが地理的に重畳するように構成されており、セル＃１/＃２のカバレッジエリアは、セル＃１１のカバレッジエリアよりも広くなるように構成されており、セル＃１/＃２は、セル＃１１と比べた特徴として、使用する周波数帯域が高いという特徴、送信アンテナ高が高いという特徴、送受信アンテナの利得が高いという特徴、送受信アンテナの指向性が異なるという特徴、送信電力が大きいという特徴、受信感度が高いという特徴の少なくとも１つを有することを要旨とする。
【００５０】
本実施形態の第１の特徴において、同一の無線基地局ｅＮＢ＃１によって管理されているセル＃１/＃２のカバレッジエリア同士の境界に、セル＃１１が設けられていてもよい。
【００５１】
本実施形態の第１の特徴において、無線基地局ｅＮＢ＃１は、セル＃１１のカバレッジエリア内の移動局ＵＥに対して、セル＃１１をＳｃｅｌｌに設定するように構成されていてもよい。
【００５２】
本実施形態の第１の特徴において、無線基地局ｅＮＢ＃１（第１無線基地局）によって管理されているセル＃１のカバレッジエリアと無線基地局ｅＮＢ＃２（第２無線基地局）によって管理されているセル＃２のカバレッジエリアとの間の境界に、セル＃１１が設けられていてもよい。
【００５３】
本実施形態の第１の特徴において、移動局ＵＥが、無線基地局ｅＮＢ＃１によって管理されているセル＃１のカバレッジエリアからセル＃１１のカバレッジエリアに進入した場合に、無線基地局ｅＮＢ＃１は、移動局ＵＥのＳｃｅｌｌとして、セル＃１１を設定するように構成されており、移動局ＵＥが、セル＃１１のカバレッジエリアから無線基地局ｅＮＢ＃２によって管理されているセル＃２のカバレッジエリアに出て行った場合、設定されていたＳｃｅｌｌは、削除されるように構成されていてもよい。
【００５４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ＵＥ…移動局
ｅＮＢ＃１、ｅＮＢ＃２…無線基地局
＃１、＃２…マクロセル
＃１１…ピコセル
【図１】
2013183270.tif 000003
【図２】
2013183270.tif 000004
【図３】
2013183270.tif 000005